(57)【要約】【課題】実際の通信環境において測定した電波伝搬特性を基に移動局を評価する。【解決手段】この発明の時空間チャネルシミュレータは、測定部と再生部を具備する。測定部は、移動体通信システムにおける基地局と移動局との間の電波伝搬特性と、自身の移動ベクトルとを測定する。再生部は、電波伝搬特性と移動ベクトルと入力模擬基地局信号を入力として、電波伝搬特性から抽出した伝搬パラメータを用いて実環境を模擬した伝搬パスの伝搬特性を生成する。【選択図】図１
2010232976.tif 000002
【特許請求の範囲】
【請求項１】
移動体通信システムにおける基地局と移動局との間の電波伝搬特性と、自身の移動ベクトルとを測定する測定部と、
上記電波伝搬特性と移動ベクトルと入力模擬基地局信号を入力として、上記電波伝搬特性から抽出した伝搬パラメータを用いて実環境を模擬した伝搬パスの伝搬特性を生成する再生部と、
を具備する時空間チャネルシミュレータ。
【請求項２】
請求項１に記載の時空間チャネルシミュレータにおいて、
上記再生部は、上記電波伝搬特性を入力として伝搬パスの数と、それら伝搬パスの出射角度と、到来角度と、複素振幅と、遅延時間と、を上記伝搬パスの伝搬パラメータとして抽出する伝搬パラメータ抽出部を、
備えることを特徴とする時空間チャネルシミュレータ。
【請求項３】
請求項２に記載の時空間チャネルシミュレータにおいて、
上記入力模擬基地局信号と上記伝搬パス数と上記伝搬パスの出射角度と基地局のアンテナ位置情報とを入力として上記入力模擬基地局信号を、基地局アンテナ位置情報に対応させた模擬基地局信号に変換する基地局信号変換部と、
上記模擬基地局信号と上記伝搬パス数と上記移動ベクトルと上記伝搬パスの遅延時間と上記伝搬パスの複素振幅と上記伝搬パスの到来角度を入力として上記模擬基地局信号を、自身の移動速度・方向を考慮した伝搬パス信号に変換する伝搬モード変換部と、
上記伝搬パス信号と移動局のアンテナ位置情報と上記伝搬パス数と上記伝搬パスの到来角度を入力として上記伝搬パス信号を、移動局を有線接続で評価する移動局評価信号に変換する移動局信号変換部と、
を更に備えることを特徴とする時空間チャネルシミュレータ。
【請求項４】
請求項３に記載の時空間チャネルシミュレータにおいて、
上記基地局信号変換部は、上記伝搬パス数と上記伝搬パスの出射角度とを入力として基地局側ステアリング行列を生成する基地局側ステアリング行列生成部と、上記入力模擬基地局信号に上記基地局側ステアリング行列を乗じて模擬基地局信号を生成する基地局側ステアリング行列乗算部とを含み、
上記伝搬モード変換部は、上記伝搬パス数と上記移動ベクトルと上記伝搬パスの遅延時間と上記伝搬パスの複素振幅と上記伝搬パスの到来角度を入力として伝搬モード行列を生成する伝搬モード行列生成部と、上記模擬基地局信号に上記伝搬モード行列を乗じて伝搬パス信号を生成する伝搬モード行列乗算部とを含み、
上記移動局信号変換部は、上記伝搬パス信号と移動局のアンテナ位置情報と上記伝搬パス数と上記伝搬パスの到来角度を入力として移動局側ステアリング行列を生成する移動局側ステアリング行列生成部と、上記伝搬パス信号に上記移動局側ステアリング行列を乗じて移動局を有線接続で評価する移動局評価信号を生成する移動局側ステアリング行列乗算部とを含む、
ことを特徴とする時空間チャネルシミュレータ。
【請求項５】
請求項２に記載の時空間チャネルシミュレータにおいて、
上記入力模擬基地局信号と上記伝搬パス数と上記伝搬パスの出射角度と基地局のアンテナ位置情報とを入力として上記入力模擬基地局信号を、基地局アンテナ位置情報に対応させた模擬基地局信号に変換する基地局信号変換部と、
上記模擬基地局信号と上記伝搬パス数と上記移動ベクトルと上記伝搬パスの遅延時間と上記伝搬パスの複素振幅と上記伝搬パスの到来角度を入力として上記模擬基地局信号を、自身の移動速度・方向を考慮した伝搬パス信号に変換する伝搬モード変換部と、
上記伝搬パス信号と上記伝搬パス数と散乱素子数とを入力として上記伝搬パス信号を、移動局を無線接続で評価するパス縮退信号に変換するパス縮退信号変換部と、
を更に備えることを特徴とする時空間チャネルシミュレータ。
【請求項６】
請求項５に記載の時空間チャネルシミュレータにおいて、
上記基地局信号変換部は、上記伝搬パス数と上記伝搬パスの出射角度とを入力として基地局側ステアリング行列を生成する基地局側ステアリング行列生成部と、上記入力模擬基地局信号に上記基地局側ステアリング行列を乗じて模擬基地局信号を生成する基地局側ステアリング行列乗算部とを含み、
上記伝搬モード変換部は、上記伝搬パス数と上記移動ベクトルと上記伝搬パスの遅延時間と上記伝搬パスの複素振幅と上記伝搬パスの到来角度を入力として伝搬モード行列を生成する伝搬モード行列生成部と、上記模擬基地局信号に上記伝搬モード行列を乗じて伝搬パス信号を生成する伝搬モード行列乗算部とを含み、
上記パス縮退信号変換部は、上記伝搬パス信号と上記伝搬パス数と上記散乱素子数を入力としてパス縮退行列を生成するパス縮退行列生成部と、上記伝搬パス信号に上記パス縮退行列を乗じて移動局を無線接続で評価するパス縮退信号を生成するパス縮退行列乗算部とを含む、
ことを特徴とする時空間チャネルシミュレータ。
【発明の詳細な説明】
【技術分野】
【０００１】
この発明は、移動通信システムにおける移動局の性能評価に用いる性能評価装置に関し、特に複数の伝搬パスのパラメータに時変パス変動を付加することにより多重波フェージングのシミュレーションを可能にする時空間チャネルシミュレータに関する。
【背景技術】
【０００２】
一般に、移動通信システムの特性評価を実伝搬環境（屋外）で実施することは容易ではなく、チャネルシミュレータと呼ばれる屋内実験系にて評価・検証するための装置が必要とされている。基地局と移動局間に見通し条件が成立する確率の低い移動通信環境においては、基地局から放射された電波は周辺の建築物において反射・回折・散乱を繰り返して移動局に到来することから、電波の受信強度（フェージング）、遅延時間、出射方向、到来方向、偏波方向に広がりが生じる事が特徴とされる。更に、ＬＴＥ（Long Term Evolution）やＩＭＴ−Advancedのような次世代移動通信システムでは、電波の空間的な分布特性を積極的に利用するマルチアンテナ技術（ＭＩＭＯ伝送・アダプティブアレー）の採用が有力視されることから、電波の空間的な分布特性もチャネルシミュレータにおいて模擬することが重要である。
【０００３】
移動局が移動することにより発生する電波の空間的な分布特性、つまりパス遮蔽による伝搬パスパラメータの時間変動特性を考慮したチャネルシミュレータとしては、特許文献１に開示されたものが知られている。図１０にその従来のチャネルシミュレータ９の機能構成を示してその動作を簡単に説明する。なお、チャネルシミュレータ９は特許文献１において時変マルチパス生成装置９と表記されている。
【０００４】
チャネルシミュレータ９は、入力デバイス１、パラメータ入力・制御部２、データ記憶部３、乱数生成部４、パス生成部５、時変関数生成部６、出力データバッファメモリ７、出力インターフェース部８を備える。データ記憶部３には、パス生成パラメータファイル、時変関数ファイル、アンテナの指向特性パターンファイル、到来波方向密度関数ファイル、分布関数ファイルが保存される。パス生成パラメータとは、例えば遮蔽時間間隔の平均値と標準偏差、遮蔽振幅の平均値と標準偏差、などの値である。また、時変関数ファイルには、パラメータ入力・制御部２から入力されるパスの振幅及び位相に対する複数の遮蔽変動の関数が格納されている。また、到来波方向密度関数ファイルには、到来波方向に対するパスの生起確率を規定した確率密度関数が複数個格納されている。このようにデータ記憶部３の各ファイルに記憶されたデータは予め用意した統計モデルである。
【０００５】
パス生成部５は、パラメータ入力・制御部２からの生成要求により、パス生成を行う。その方法は、伝搬パス数分の伝搬パスパラメータを、データ記憶部３に記憶されている各パラメータを基準として、乱数生成部４が生成する乱数に基づいて変動させて生成するものである。
【先行技術文献】
【特許文献】
【０００６】
【特許文献１】特開２００４−２５４２５０号公報（図３）
【発明の概要】
【発明が解決しようとする課題】
【０００７】
従来のチャネルシミュレータ９では、シミュレーションに用いる伝搬パスパラメータが統計モデルであった。よって、実際の現場における固有の電波状況を模擬した移動局の評価を行えない課題がある。
【０００８】
この発明は、このような点に鑑みてなされたものであり、実際の通信環境において測定した電波伝搬特性を基に移動局を評価する伝搬パラメータを生成する時空間チャネルシミュレータを提供することを目的とする。
【課題を解決するための手段】
【０００９】
この発明の時空間チャネルシミュレータは、測定部と再生部を具備する。測定部は、移動体通信システムにおける基地局と移動局との間の電波伝搬特性と、自身の移動ベクトルとを測定する。再生部は、電波伝搬特性と移動ベクトルと入力模擬基地局信号を入力として、電波伝搬特性から抽出した伝搬パラメータを用いて実環境を模擬した伝搬パスの伝搬特性を生成する。
【発明の効果】
【００１０】
この発明の時空間チャネルシミュレータによれば、測定部が実際の現場で電波伝搬特性を測定し、再生部がその実測した電波伝搬特性から移動局を評価する伝搬パラメータを生成するので、より実際に近い環境での移動局の評価を可能にする。
【図面の簡単な説明】
【００１１】
【図１】この発明の時空間チャネルシミュレータ１００の機能構成例を示す図。
【図２】時空間チャネルシミュレータ１００が使用される一例の状況を概念的に示す図。
【図３】時空間チャネルシミュレータ１００のより具体的な機能構成例を示す図。
【図４】時空間チャネルシミュレータ１００の動作フローを示す図。
【図５】基地局５０と移動局５１との間に定義できる伝搬パラメータを概念的に示す図。
【図６】時空間チャネルシミュレータ１００の各変換部のより具体的な機能構成例を示す図。
【図７】この発明の時空間チャネルシミュレータ７００の機能構成例を示す図。
【図８】時空間チャネルシミュレータ７００の使用状況の一例を示す図。
【図９】パス縮退行列変換部７１の動作を概念的に示す図。
【図１０】従来のチャネルシミュレータ９の機能構成を示す図。
【発明を実施するための形態】
【００１２】
以下、この発明の実施の形態を図面を参照して説明する。複数の図面中同一のものには同じ参照符号を付し、説明は繰り返さない。
【実施例１】
【００１３】
図１にこの発明の時空間チャネルシミュレータ１００の機能構成例を示す。時空間チャネルシミュレータ１００は、移動体通信システムにおける基地局と移動局との間の電波伝搬特性ＸＲと、自身の移動ベクトルｄを測定する測定部１０と、電波伝搬特性ＸＲと、移動ベクトルｄと、入力模擬基地局信号ＸＳを入力として、電波伝搬特性ＸＲから抽出した伝搬パラメータを用いて実環境を模擬した伝搬パスの伝搬特性を生成する再生部２０と、を具備する。
【００１４】
測定部１０は、例えばマルチアンテナ技術に基づく複数のアンテナから入力される基地局からの無線信号を受信して、基地局と測定部１０との間の電波伝搬特性ＸＲを測定すると共に自身の移動ベクトルｄを測定する。移動ベクトルｄは、例えば測定部１０内に設けられたＧＰＳ受信器で受信した座標情報から入手しても良いし、測定部１０内にジャイロや加速度計を備え自律的に移動ベクトルｄを生成しても良い。
【００１５】
このように時空間チャネルシミュレータ１００の再生部２０は、電波伝搬特性ＸＲと移動ベクトルｄと入力模擬基地局信号ＸＳを入力として、電波伝搬特性ＸＲから抽出した伝搬パラメータを用いて実環境を模擬した伝搬パスの伝搬特性を生成する。よって、より実際に近い環境での移動局の評価を可能にする。
【００１６】
図２に、時空間チャネルシミュレータ１００が使用される一例の状況を概念的に示す。測定車２００は、時空間チャネルシミュレータ１００を積んで、移動局を評価したい目的の環境である例えば都市部のビルが林立する道路を走行する。時空間チャネルシミュレータ１００は、測定車２００が走行中、複数の基地局から放射され、ビルや地形等の障害物によって反射・回折し、マルチパスが発生している状態の電波を受信する。
【００１７】
測定部１０は、そのパルチパスが発生している状態の電波から電波伝搬特性ＸＲと測定車２００の移動ベクトルｄとを測定する。再生部２０は、その電波伝搬特性ＸＲと移動ベクトルｄとから伝搬パラメータを抽出し、複数の伝搬パスの伝搬特性を生成する。測定車２００に評価対象の移動局を予め用意しておけば、再生部２０に入力模擬基地局信号ＸＳを入力することで、その場で移動局を評価することも可能である。この時空間チャネルシミュレータ１００を用いれば、実環境の電波状況を定量的に把握した上で移動局のスピーディーな評価を可能にする。
【００１８】
また、時空間チャネルシミュレータ１００を測定車２００から降ろし、実験室内において入力模擬基地局信号ＸＳを入力することで、より実際に近い環境での移動局の評価を可能にする。このように、時空間チャネルシミュレータ１００は、移動局の評価を機動的で、且つ、正確なものにする優れた効果を奏する。なお、必ずしも時空間チャネルシミュレータ１００を測定車２００から移動させる必要はない。実験室に同じ時空間チャネルシミュレータ１００を用意し、車載した時空間チャネルシミュレータ１００から伝搬パラメータと移動ベクトルｄとを記録媒体を介して移動させても良い。
【００１９】
図３により具体的な機能構成例を示して更に詳しく時空間チャネルシミュレータ１００の動作を説明する。図４にその動作フローを示す。測定部１０は、受信部１１と位置・移動方向測定部１２を備える。再生部２０は、伝搬パラメータ抽出部２１と、基地局信号変換部２４と、伝搬モード変換部２５と、移動局信号変換部２６と、制御部２７とを備える。
【００２０】
受信部１１は電波伝搬特性を再生部２０に出力する（ステップＳ１１）。位置・移動方向測定部１２は、移動ベクトルｄを再生部２０に出力する（ステップＳ１２）。伝搬パラメータ抽出部２１は、電波伝搬特性から伝搬パスの数Ｌと、それら伝搬パスＬの出射角度φｉと、到来角度ψｉと、複素振幅αｉと、遅延時間τｉとを伝搬パラメータとして抽出する（ステップＳ２１）。
【００２１】
ここで図５を参照して各伝搬パラメータを説明する。図５は、基地局５０と移動局５１との間に定義できる伝搬パラメータを概念的に示す図である。伝搬パス数Ｌは、図５中に示す直線矢印の数である。出射角度φｉは、基地局アンテナの中心を原点とする座標系における角度である。複素振幅αｉと遅延時間τｉは、各伝搬パス毎の値である。到来角度ψｉは、移動局アンテナの中心を原点とする座標系における角度である。
これら伝搬パラメータによって、各伝搬パスＬのチャネル応答ｈｉ（ｎ，ｍ）（ｉ＝１，…，Ｌ）が式（１）で表せる。
【００２２】
【数１】
2010232976.tif 000003
【００２３】
ここでφｉ￣（式及び図中の表記が正しい）は、出射方向の単位ベクトル、ψｉ￣は、到来方向の単位ベクトルである。ｍは基地局５０のアンテナのＭ本の中の特定の一本を表す。ｎは移動局のアンテナのＮ本の中の特定の一本を表す。ｋ０は波数（２π/波長）である。ｄは移動ベクトル（大きさが距離、向きが移動方向に相当）である。
【００２４】
Ｌ本分の伝搬パスを考慮したチャネル応答は、各伝搬パスのチャネル応答ｈｉ（ｎ，ｍ）を要素とする行列Ｈとして表せ、その行列Ｈは式（２）に示す３つのチャネル応答行列に分割することができる。
【００２５】
【数２】
2010232976.tif 000004
【００２６】
ここで、ＨＲは、移動局側の伝搬パスの位相関係を表すＮ行×Ｌ列の移動局側ステアリン
グ行列である。行列の各要素は式（３）で計算され、移動局側の伝搬パスの位相関係を表
すものである。
【００２７】
【数３】
2010232976.tif 000005
【００２８】
ＨＬは、複素振幅αｉ、遅延時間τｉ等から成る伝搬パス定数βｉの対角行列であり、各要素は式（４）で計算される。
【００２９】
【数４】
2010232976.tif 000006
【００３０】
ＨＴは、基地局アンテナの数Ｍ行×伝搬パス数Ｌ列の基地局側ステアリング行列であり、式（５）で各要素が計算される。ＨＴは基地局側の伝搬パスの位相関係を表す。
【００３１】
【数５】
2010232976.tif 000007
【００３２】
再生部２０は、これらのチャネル応答行列ＨＲ，ＨＬ，ＨＴを用いて複数の伝搬パスで構成される伝搬特性を生成し、移動局評価信号Ｙを出力するものである。基地局信号変換部２４は、伝搬パス数Ｌと、伝搬パスの出射角度φｉと、基地局アンテナの位置情報Ｓと、入力模擬基地局信号ＸＳとを入力として入力模擬基地局信号ＸＳを、基地局アンテナ位置情報Ｓに対応させた模擬基地局信号ＨＴＸＳに変換する（ステップＳ２４）。
【００３３】
伝搬モード変換部２５は、模擬基地局信号ＨＴＸＳと、伝搬パス数Ｌと、移動ベクトルｄと伝搬パスの遅延時間τｉと、伝搬パスの複素振幅αｉと、伝搬パスの到来角度ψｉとを入力として、模擬基地局信号ＨＴＸＳを自身の移動速度・方向を考慮した伝搬パス信号ＨＬＨＴＸＳに変換する（ステップＳ２５）。
【００３４】
移動局信号変換部２６は、伝搬パス信号ＨＬＨＴＸＳと、移動局のアンテナ位置情報ｕと、伝搬パス数Ｌと、伝搬パスの到来角度ψｉを入力として、伝搬パス信号ＨＬＨＴＸＳを、移動局を有線接続で評価する移動局評価信号Ｙに変換して出力する（ステップＳ２６）。
【００３５】
各変換部２４〜２６は、各行列生成部２４０〜２６０と、各行列乗算部２４１〜２６１の構成に分解できる。図６にその構成例を示す。基地局信号変換部２４は、基地局側ステアリング行列生成部２４０と、基地局側ステアリング行列乗算部２４１とを含む。基地局側ステアリング行列生成部２４０は、伝搬パス数Ｌと、伝搬パスＬの出射角度φｉを入力として式（２）に示した基地局側ステアリング行列ＨＴを生成する（ステップＳ２４０）。基地局側ステアリング行列乗算部２４１は、入力模擬基地局信号ＸＳに基地局側ステアリング行列ＨＴを乗じて模擬基地局信号ＨＴＸＳに変換する（ステップＳ２４１）。
【００３６】
伝搬モード変換部２５は、伝搬モード行列生成部２５０と、伝搬モード行列乗算部２５１とを含む。伝搬モード行列生成部２５０は、伝搬パス数Ｌと、移動ベクトルｄと、伝搬パスの遅延時間τｉと、伝搬パスの複素振幅αｉと、伝搬パスの到来角度ψｉとを入力として式（２）に示した伝搬モード行列ＨＬを生成する（ステップＳ２５０）。伝搬モード行列乗算部２５１は、模擬基地局信号ＨＴＸＳに伝搬モード行列ＨＬを乗じて伝搬パス信号ＨＬＨＴＸＳを生成する（ステップＳ２５１）。
【００３７】
移動局信号変換部２６は、移動局側ステアリング行列生成部２６０と、移動局側ステアリング行列乗算部２６１とを含む。移動局側ステアリング行列生成部２６０は、伝搬パス数Ｌと、伝搬パスの到来角度ψｉと、移動局のアンテナ位置情報ｕとを入力として式（２）に示した移動局側ステアリング行列ＨＲを生成する（ステップＳ２６０）。移動局側ステアリング行列乗算部２６１は、伝搬パス信号ＨＬＨＴＸＳに移動局側ステアリング行列ＨＲを乗じて移動局を有線接続で評価する移動局評価信号Ｙを生成する（ステップＳ２６１）。
【００３８】
以上述べたように時空間チャネルシミュレータ１００は、実際に測定した基地局と移動局との間の電波伝搬特性から、伝搬パラメータを求め、その伝搬パラメータを用いて移動局の評価信号を生成するので、より実際に近い環境での移動局の評価を可能にする。また、時空間チャネルシミュレータ１００は、複数存在する伝搬パスのチャネル応答ｈｉ（ｎ，ｍ）を、３つのチャネル応答行列に分割する考えを導入している。この考えによれば、基地局側と移動局側の伝搬パス毎の条件設定を容易に行うことを可能にする。これは、実際の電波伝搬特性を基にしてより細かな移動局の評価が、容易に行えることを意味する。
【００３９】
なお、各変換部２４〜２６は、電波伝搬特性から抽出した伝搬パラメータをそのまま使う例で説明を行ったが、伝搬パラメータを加工して用いても良い。その構成を、図３〜図６中に破線で示す。モデルパラメータ生成部２２は、例えば伝搬パラメータ抽出部２１が抽出した伝搬パラメータの平均と分散を計算するものである。乱数生成部２３は、例えば正規分布或いは矩形分布に従った乱数を生成するものである。モデルパラメータ生成部２２は、その乱数に応じて伝搬パラメータを変動させて出力する。その変動させて出力する周期は、制御部２７によって制御される。このように、実際に測定された各伝搬パラメータを時間で変動させ、時間経過で変動する時変パス変動の移動局評価信号Ｙを出力するようにしても良い。
【００４０】
また、移動局を無線接続で評価することも可能である。次に実施例２として移動局を無線接続で評価するようにした時空間チャネルシミュレータ７００の動作を説明する。
【実施例２】
【００４１】
図７に実施例２の時空間チャネルシミュレータ７００の機能構成例を示す。時空間チャネルシミュレータ７００は、移動局を無線接続で評価するようにしたものであり、実施例１の時空間チャネルシミュレータ１００の移動局信号変換部２６が、パス縮退行列変換部７１に置き換わり、複数個の散乱素子８０（図８を参照）を備える点が異なる。なお、パス縮退行列変換部７１と散乱素子８０との間に設けられる増幅器やフィルタ等は省略している。
【００４２】
図８に時空間チャネルシミュレータ７００の使用状況の一例を示す。散乱素子８０は複数個あり、各散乱素子８０にパス縮退行列変換部７１の出力信号がそれぞれ接続される。この例では散乱素子８０の数が１２個である。その１２個の散乱素子８０の中央に、例えば、被評価用の移動局５１と、必要に応じて人体ファントム８２が配置される。
【００４３】
パス縮退行列変換部７１は、伝搬モード変換部２５が出力する伝搬パス信号ＨＬＨＴＸＳと、伝搬パラメータ抽出部２１が出力する伝搬パス数Ｌと、伝搬パスの到来角度ψｉと、散乱素子数情報Ｋとを入力として伝搬パス信号ＨＬＨＴＸＳを、移動局を無線接続で評価するパス縮退信号に変換する。
【００４４】
パス縮退行列変換部７１は、伝搬パス信号ＨＬＴＸＳと伝搬パス数Ｌと散乱素子数Ｋを入力としてパス縮退行列ＨＫを生成するパス縮退行列生成部７１１と、伝搬パス信号ＨＬＨＴＸＳにパス縮退行列ＨＫを乗じて移動局を無線接続で評価するパス縮退信号Ｙ′を生成するパス縮退行列乗算部７１２とを含む。
【００４５】
図９にパス縮退行列変換部７１の動作を概念的に示す。パス縮退行列変換部７１は、伝搬パス信号ＨＬＨＴＸＳを散乱素子８０の数に集約する動作を行う。図９では、伝搬パス数Ｌを散乱素子数Ｋで除した値Ｌ/Ｋ＝４の例を示している。つまり、４８個の伝搬パスを１２個に集約する様子を概念的に示している。
パス縮退行列ＨＫは、式（６）で与えられる。
【００４６】
【数６】
2010232976.tif 000008
【００４７】
行列μは、Ｌ/Ｋ個の数の１が並ぶ行列であり、図９に示した例では１が４つ並んだものである。
このように時空間チャネルシミュレータ７００は、実際の現場で電波伝搬特性に基づいた伝搬パラメータを用いて無線接続での移動局の評価を可能にする。その結果、人体の影響等を含めたより詳細なシミュレーションを可能にする。
【００４８】
この発明の装置は上述の実施形態に限定されるものではなく、この発明の趣旨を逸脱し
ない範囲で適宜変更が可能である。例えば、伝搬パラメータ抽出部２１で抽出した伝搬パ
ラメータと移動ベクトルｄとを記録する記録部を備えても良い。その記録部から逐次デー
タを読み出すことで異なる環境における移動局の評価を、繰り返しておこなうことが可能
になる。
【００４９】
また、上記方法及び装置において説明した処理は、記載の順に従って時系列に実行され
るのみならず、処理を実行する装置の処理能力あるいは必要に応じて並列的にあるいは個別に実行されるとしてもよい。また、上記装置における処理手段をコンピュータによって実現しても良い。その場合、各部が有すべき機能の処理内容はプログラムによって記述される。そして、このプログラムをコンピュータで実行することにより、各装置における処理手段がコンピュータ上で実現される。また、これらの処理手段の少なくとも一部をハードウェア的に実現することとしてもよい。
【図１】
2010232976.tif 000009
【図２】
2010232976.tif 000010
【図３】
2010232976.tif 000011
【図４】
2010232976.tif 000012
【図５】
2010232976.tif 000013
【図６】
2010232976.tif 000014
【図７】
2010232976.tif 000015
【図８】
2010232976.tif 000016
【図９】
2010232976.tif 000017
【図１０】
2010232976.tif 000018